(57)【要約】【課題】高い油圧力の下においても十分なシール性（密閉性）を保持する複式濾過器を提供すること。【解決手段】切り替えコックによって燃料油の流路を一方と他方の部屋に切り替えて燃料油を濾過する複式濾過器において、一方と他方の部屋には夫々こし網２を設置し、切り替えコック８は、流路を切り替えるボール４と、濾過器ボディ１に設置してボール４に密着するシート５と、ボール４を弾発するスプリング６と、からなり、スプリング６の弾発によってボール４をシート５に押し付けて燃料油流路の密閉性を保持する構成とする。【選択図】図１
2006346585.tif 000002
【特許請求の範囲】
【請求項１】
切り替えコックによって燃料油の流路を一方と他方の部屋に切り替えて燃料油を濾過する複式濾過器において、
前記一方と他方の部屋には夫々こし網を設置し、
前記切り替えコックは、流路を切り替えるボールと、濾過器ボディに設置して前記ボールに密着するシートと、前記ボールを弾発するスプリングと、からなり、
前記スプリングの弾発によって前記ボールを前記シートに押し付けて燃料油流路の密閉性を保持する
ことを特徴とする燃料油濾過器。
【請求項２】
請求項１に記載の燃料油濾過器を、重油炊きボイラの重油供給経路に配設したポンプの出力側に設置することを特徴とする燃料油濾過器の設置系統システム。
【発明の詳細な説明】
【技術分野】
【０００１】
本発明は油燃焼装置に係り、特に、複式濾過器における流路切り替え方式にボール構造を採用する燃料油濾過器に関する。
【背景技術】
【０００２】
従来の複式濾過器は、例えば非特許文献１に示されているように、少なくともこし網を２個設けて、一方を使用中に他方のこし網がドレン抜きされて清掃することができるものである。この非特許文献１に開示された複式濾過器を図５に示す。
【０００３】
図５に示す複式濾過器によると、鋼製のボディ１の中に細かい目開きのバスケット型のこし網２が左右の部屋に各々入っている。中央には、逆くさび形（逆円錐形）の切り替えコック８が設けれている。切り替えコック８には、穴が開いており、油の流路を左右の部屋へ切替えられるようになっている。
【０００４】
切り替えコック８は外部から、切替えハンドル３で左右に切替えられる。ボディ１と切り替えコック８の間のシール（密閉）は、相互のメタルタッチとなる。切り替えコックは上下の穴を一つの機械加工で作った一体構造体となっている。
【０００５】
油は、切り替えコック８の上側の穴から左側のこし網２の上から入り、こし網２の内部から外部へ出る過程で異物がキャッチされる。こし網２から出た油は切り替えコック８の下側の穴を通り濾過器から出ていく。
【０００６】
複式とはこし網が２個設けられていることを意味し、運転中（濾過器使用中）に、切替えハンドル３を切替えて、一方を使用中に他部屋の油をドレン抜き９を開放して抜き、こし網２を清掃することができる。
【非特許文献１】「燃焼機器工学」、辻正一著、日刊工業新聞社発行
【発明の開示】
【発明が解決しようとする課題】
【０００７】
通常、油燃焼装置に用いられる複式濾過器は、油噴燃ポンプの前流側（入口側）に設置し、このポンプおよびそれから後流側の機器の保護を目的としている。濾過器をポンプ入口側に設置するので、濾過器に掛かる油の圧力としては、油タンクの水頭分（ヘッド分）から濾過器までの配管の摩擦損失等を引いた圧力となり、通常マイナス値、高くても１ｋｇ／ｃｍ２ｇ程度である。この程度の油圧であれば、濾過器ボディと切り替えコック間のメタルタッチによる密閉性にはあまり影響が出ない。
【０００８】
しかしながら、近年、特に海外プラントでは、油噴燃ポンプの出口にも複式濾過器を設置指定される場合がある。この場合には、ポンプの出口で圧力が３０〜４０ｋｇ／ｃｍ２ｇも掛かり、油の圧力でボディと切り替えコック間のメタルタッチに隙間ができ、この隙間を通して油漏れが発生するという課題が生じ得る。そうすると、一方のこし網を使用して運転している最中に、他方の部屋を開放して清掃することができない。
【０００９】
したがって、従来技術におけるコック方式の複式濾過器は、単にコックとボディーとの金属接触（メタルタッチ）によるシールであり、シール性（密閉性）を高めるような構造にもなっておらず、密閉性において課題が生じていた。
【００１０】
本発明の目的は、上記課題を解決するために、高い油圧力の下においても十分なシール性（密閉性）を保持する複式濾過器を提供することにある。
【課題を解決するための手段】
【００１１】
前記課題を解決するために、本発明は次のような構成を採用する。  
切り替えコックによって燃料油の流路を一方と他方の部屋に切り替えて燃料油を濾過する複式濾過器において、
前記一方と他方の部屋には夫々こし網を設置し、前記切り替えコックは、流路を切り替えるボールと、濾過器ボディに設置して前記ボールに密着するシートと、前記ボールを弾発するスプリングと、からなり、前記スプリングの弾発によって前記ボールを前記シートに押し付けて燃料油流路の密閉性を保持する構成とする。
【００１２】
また、前記燃料油濾過器を、重油炊きボイラの重油供給経路に配設したポンプの出力側に設置する構成とする。
【発明の効果】
【００１３】
本発明によると、複式濾過器のどのような運転条件下においても、簡易な構造で、高い密閉性を保持することができる。
【００１４】
また、簡易な構造と高い密閉性保持によって、メンテナンス性に優れ、こし網清掃の安全度も高くすることができる。
【発明を実施するための最良の形態】
【００１５】
本発明の実施形態に係る複式濾過器について、図１〜図４を参照しながら以下説明する。図１は本発明の実施形態に係る複式濾過器の全体構造を示す断面図である。図２は本実施形態に係る複式濾過器の密閉性を高める詳細構造を示す図である。図３はボール構造の切り替えコックにおける切り替え態様を示す図である。図４は本実施形態に係る複式濾過器と油ポンプとの配置関係を示す油燃焼装置の系統図である。
【００１６】
図面において、１は鋼製ボディ、２はこし網、３は切り替えハンドル、４はボール、５はシート、６はスプリング、７は連結軸、８は切り替えコック、１０は複式濾過器、１１は油ポンプ、をそれぞれ表す。
【００１７】
鋼製ボディ１の中に、細かい目開きのバスケット型のこし網２が左右の部屋に各々入っている。中央には、ボール４とシート５がセットになって、上側と下側に組み込まれている。シート５はボディ１の溝に組み込まれシートの脱落を防止するとともに、スプリング７により、ボール４がシート５に密着する構造となっている。シート５はテフロン（登録商標）等の液体（例えば油）の性状に合った材質を使うことができる。
【００１８】
図２に示すように、本実施形態に係る複式濾過器の切り替えコック８は、従来技術におけるボールとボディとのメタルタッチシールとは異なり、ボール４と、ボール４に密着する円環状のシート５と、ボール４をシート５に押圧するスプリング６と、からなる構造体である。上下のボール４，４は、連結軸７によって連結されており、同じ動きをする。このように、本実施形態に係る複式濾過器は、ボール、シート、スプリングからなる構造体であることによって、ボールがシート面に密着し、十分な密閉性を保持できる。また、高圧力下においても、使用していない部屋のこし網の清掃が可能になる。したがって、燃料ガス設備等の密閉性により高い信頼性を要求される設備で使用されるのに好適である。
【００１９】
図３に示すように、ボール４には三方向に穴があいており、切り替えハンドル３で部屋を切り替えたり、停止させたりする。図３の（１）は左側部屋の使用態様を表しており、（２）は右側部屋の使用態様を表しており、（３）は両部屋の停止態様を表している。
【００２０】
以上のように、本実施形態に係る複式濾過器では、ボールのメタル面とシートが十分な面圧を持って均一に接することになり、スプリングによってさらに密着度は増す（スプリングによってボールをシートにさらに押し付けることとなる）。どのような運転下（低圧でも高圧でも）においても高い密閉性を有する。この高い密閉性は、停止部屋のこし網清掃時の安心度アップにもつながり、作業員の安全性も増す。
【００２１】
従来技術におけるコック（栓）は上下に長い一体構造であって、メタルタッチの密閉性を上げるためにも高い工作精度が要求されていた。本実施形態による構造では、シンプルな構造であるので、シートを挿入する挿入部（溝）のボディ加工に注意すれば済む。また、ボール４は上下２個、各々取り外すことができ、メンテナンスの面からも有利である。
【００２２】
次に、図４を用いて本実施形態に係る複式濾過器の配置系統を説明する。図４は重油炊きボイラの重油供給系統を表しており、重油タンクから重油バーナへの油送給経路は、大略、重油タンク、第１の複式濾過器、油ポンプ１１、第２の複式濾過器、流量調節弁、重油遮断弁、重油バーナとなっており、重油の送給圧力を上昇させるポンプ１１の前流側と後流側にそれぞれ複式濾過器１０，１０が配設されている。前流側の複式濾過器にはポンプ圧力は加わらないが、後流側の複式濾過器にはポンプ圧力が加わるので、図１と図２に示す構造の本実施形態に係る複式濾過器を採用すれば、十分な密閉性が保持されるので、未使用の部屋のこし網の清掃が可能となる。
【図面の簡単な説明】
【００２３】
【図１】本発明の実施形態に係る複式濾過器の全体構造を示す断面図である。
【図２】本実施形態に係る複式濾過器の密閉性を高める詳細構造を示す図である。
【図３】本実施形態に関するボール構造の切り替えコックにおける切り替え態様を示す図である。
【図４】本実施形態に係る複式濾過器と油ポンプとの配置関係を示す油燃焼装置の系統図である。
【図５】従来技術に関する複式濾過器におけるメタルタッチシールの構成を示す図である。
【符号の説明】
【００２４】
１  鋼製ボディ
２  こし網
３  切り替えハンドル
４  ボール
５  シート
６  スプリング
７  連結軸
８  切り替えコック
９  ドレン抜き
１０  複式濾過器
１１  油ポンプ
【図１】
2006346585.tif 000003
【図２】
2006346585.tif 000004
【図３】
2006346585.tif 000005
【図４】
2006346585.tif 000006
【図５】
2006346585.tif 000007